(57)【特許請求の範囲】
【請求項１】
クランク軸（１３）の回転に連動して吸気弁（１８ｉ）及び排気弁（１８ｅ）を開閉駆動する動弁機構（２２）の巻掛式調時伝動装置（２２ａ）の駆動側をオイルタンク（４０）内に臨ませ，そのオイルタンク（４０）には，その内部の貯留オイル（Ｏ）を飛散させて，前記調時伝動装置（２２ａ）の潤滑のためのオイル飛沫を生成するオイル飛沫生成手段（５６ａ，５６ｂ）を配設した，ハンドヘルド型エンジンにおける調時伝動装置の潤滑装置において，
前記オイル飛沫生成手段を，クランク軸（１３）に，前記調時伝動装置（２２ａ）の駆動プーリ（２３）を挟んで軸方向に並ぶようにクランク軸（１３）に固着される一対のオイルスリンガ（５６ａ，５６ｂ）で構成して，エンジン（Ｅ）の如何なる運転姿勢でも，この両オイルスリンガ（５６ａ，５６ｂ）の少なくとも一方がオイルタンク（４０）内に貯留オイル（Ｏ）を攪拌，飛散させ，オイルミストを生成するようにし，
オイルタンク（４０）の天井壁には，それを貫通するように上下に延びて下方開口端をオイルタンク（４０）内のクランク軸（１３）に近接させるベルト案内筒（８６）を一体に連設して，エンジン（Ｅ）の如何なる運転姿勢でも，このベルト案内筒（８６）の下方開口端がオイルタンク（４０）内に貯留オイル（Ｏ）の液面より高い位置を占めるようにすると共に，このベルト案内筒（８６）内に前記調時伝動装置（２２ａ）の巻掛部材（２５）を配設し，
エンジン（Ｅ）の横倒し時，付着したオイル飛沫を前記調時伝動装置（２２ａ）のオイルタンク（４０）に臨む部分に誘導，滴下する油滴誘導壁（９０）をオイルタンク（４０）の内壁に突設したことを特徴とする，ハンドヘルド型エンジンにおける調時伝動装置の潤滑装置。
【発明の詳細な説明】
【０００１】
【発明の属する技術分野】
本発明は，主としてトリマその他の携帯型作業機の動力源となるハンドヘルド型四サイクルエンジンに関し，特に，クランク軸の回転に連動して吸気弁及び排気弁を開閉駆動する動弁機構の巻掛式調時伝動装置の駆動側をオイルタンク内に臨ませ，そのオイルタンクには，その内部の貯留オイルを飛散させて，前記調時伝動装置の潤滑のためのオイル飛沫を生成するオイル飛沫生成手段を配設した，エンジンにおける調時伝動装置の潤滑装置の改良に関する。
【０００２】
【従来の技術】
かゝるハンドヘルド型四サイクルエンジンは，例えば特開平１１−２２３１１０号公報に開示されるように，既に知られている。
【０００３】
【発明が解決しようとする課題】
かゝるハンドヘルド型エンジンにおける調時伝動装置の潤滑装置では，オイル飛沫生成手段の作動により生成されたオイル飛沫が，オイルタンク内に臨む調時伝動装置の駆動側でタイミングベルト等の巻掛部材に付着して，被動側に運ばれ，調時伝動装置全体が潤滑されるのであるが，従来の潤滑装置では，エンジンが運転中に横倒しにされた場合には，調時伝動装置の回転方向によっては，オイル飛沫が調時伝動装置の被動側まで供給されず，その被動側に潤滑不足を来すことが懸念される。
【０００４】
本発明は，かゝる点に鑑みてなされたもので，エンジンが横倒し状態で運転される場合でも，巻掛式調時伝動装置の被動側をもオイル飛沫で確実に潤滑することができるようにした，前記ハンドヘルド型エンジンにおける調時伝動装置の潤滑装置を提供することを目的とする。
【０００５】
【課題を解決するための手段】
上記目的を達成するために，本発明は，クランク軸の回転に連動して吸気弁及び排気弁を開閉駆動する動弁機構の巻掛式調時伝動装置の駆動側をオイルタンク内に臨ませ，そのオイルタンクには，その内部の貯留オイルを飛散させて，前記調時伝動装置の潤滑のためのオイル飛沫を生成するオイル飛沫生成手段を配設した，ハンドヘルド型エンジンにおける調時伝動装置の潤滑装置において，前記オイル飛沫生成手段を，クランク軸に，前記調時伝動装置の駆動プーリを挟んで軸方向に並ぶようにクランク軸に固着される一対のオイルスリンガで構成して，エンジンの如何なる運転姿勢でも，この両オイルスリンガの少なくとも一方がオイルタンク内に貯留オイルを攪拌，飛散させ，オイルミストを生成するようにし，またオイルタンクの天井壁には，それを貫通するように上下に延びて下方開口端をオイルタンク内のクランク軸に近接させるベルト案内筒を一体に連設して，エンジンの如何なる運転姿勢でも，このベルト案内筒の下方開口端がオイルタンク内に貯留オイルの液面より高い位置を占めるようにすると共に，このベルト案内筒内に前記調時伝動装置の巻掛部材を配設し，エンジンの横倒し時，付着したオイル飛沫を前記調時伝動装置のオイルタンクに臨む部分に誘導，滴下する油滴誘導壁をオイルタンクの内壁に突設したことを特徴とする。
【０００６】
この特徴によれば，前記オイル飛沫生成手段を，クランク軸に，前記調時伝動装置の駆動プーリを挟んで軸方向に並ぶようにクランク軸に固着される一対のオイルスリンガで構成して，エンジンの如何なる運転姿勢でも，この両オイルスリンガの少なくとも一方がオイルタンク内に貯留オイルを攪拌，飛散させ，オイルミストを生成するようにし，またオイルタンクの天井壁には，それを貫通するように上下に延びて下方開口端をオイルタンク内のクランク軸に近接させるベルト案内筒を一体に連設して，エンジンの如何なる運転姿勢でも，このベルト案内筒の下方開口端がオイルタンク内に貯留オイルの液面より高い位置を占めるようにすると共に，このベルト案内筒内に前記調時伝動装置の巻掛部材を配設したことで，エンジンが倒立状態や横倒し状態で運転する場合でも，オイルタンク内ではオイルミストを生成することができて，その発生オイル飛沫によりベルト案内筒からオイルタンク内に露出した部分から調時伝動装置を潤滑することができる。
【０００７】
しかもエンジンの如何なる運転姿勢でも，ベルト案内筒の下方開口端はオイルタンク内に貯留オイルの液面より高い位置を占めるので，エンジンが倒立状態や横倒し状態で運転する場合でも，ベルト案内筒のオイルタンクへの開口端は常に貯留オイルの液面より高い位置を占めることになり，したがって，ベルト案内筒への貯留オイルの流入を許さず，調時伝動装置の過剰給油を防ぐことができる。
【０００８】
またエンジンを横倒し状態で運転する場合には，油滴誘導壁に付着したオイル飛沫が油滴となって，調時伝動装置の駆動側で巻掛部材上に落下するので，特に，巻掛部材の上側部分が駆動側から被動側に移動するとき，上記油滴を，遠心力の影響を殆ど受けることなく，巻掛部材によって被動側へ運び，被動側を確実に潤滑することができる。
【０００９】
尚，前記巻掛部材は，後述する本発明の実施例中のタイミングベルト２５に対応する。
【発明の実施の形態】
本発明の実施の形態を，添付図面に示す本発明の実施例に基づいて説明する。
【００１０】
図１は本発明のハンドヘルド型四サイクルエンジンの一使用例を示す斜視図，図２は上記四サイクルエンジンの縦断側面図，図３は図２の３−３線断面図，図４は図２の４−４線断面図，図５は図２の要部拡大断面図，図６は図５の要部分解図，図７は図４の７−７線断面図，図８は図４の８−８線断面図，図９は図８の９−９線断面図，図１０は図５の１０−１０矢視図（ヘッドカバーの底面図），図１１は図５の１１−１１線断面図，図１２は上記エンジンの潤滑経路図，図１３は上記エンジンの倒立状態を示す，図４との対応図，図１４は同エンジンの横倒し状態を示す，図４との対応図である。
【００１１】
図１に示すように，ハンドヘルド型四サイクルエンジンＥは，例えば動力トリマＴの動力源として，その駆動部に取付けられる。動力トリマＴは，その作業状態によりカッタＣを色々の方向に向けて使用されるので，その都度エンジンＥも大きく傾けられ，あるいは逆さにされ，その運転姿勢は一定しない。
【００１２】
先ず，このハンドヘルド型四サイクルエンジンＥの外周りの構造について図２及び図３により説明する。
【００１３】
ハンドヘルド型四サイクルエンジンＥのエンジン本体１には，その前後に気化器２及び排気マフラ３がそれぞれ取付けられ，気化器２の吸気道入口にはエアクリーナ４が装着される。またエンジン本体１の下面には合成樹脂製の燃料タンク５が取付けられる。クランク軸１３は，エンジン本体１と，このエンジン本体１の一側に隣接したオイルタンク４０との両外側方に両端部を突出させており，その一端部に固着した被動部材８４に伝動，連結可能なリコイル式スタータ４２がオイルタンク４０の外側面に取付けられる。
【００１４】
クランク軸１３の他端部にはフライホイールを兼ねる冷却ファン４３が固着される。この冷却ファン４３の外側面には，複数の取付けボス４６（図２には，そのうちの１個を示す）が形成されており，この各取付けボス４６に遠心シュー４７が揺動自在に軸支される。この遠心シュー４７は，後述する駆動軸５０に固着されるクラッチドラム４８と共に遠心クラッチ４８を構成するもので，クランク軸１３の回転数が所定値を超えると，遠心シュー４７が，それ自体の遠心力によりクラッチドラム４８の内周壁に圧接して，クランク軸１３の出力トルクを駆動軸５０に伝達するようになる。この遠心クラッチ４８よりも，冷却ファン４３は大径になっている。
【００１５】
エンジン本体１及び，燃料タンク４０を除く付属機器を覆うエンジンカバー５１は，エンジン本体１の適所に固着され，このエンジンカバー５１と燃料タンク５との間に冷却風取り入れ口１９が設けられる。したがって，冷却ファン４３の回転により，この冷却風取り入れ口１９から外気が取り入れられ，エンジンＥ各部の冷却に供される。
【００１６】
エンジンカバー５１には，クランク軸６と同軸に並ぶ円錐台状の軸受ホルダ５８が固着され，この軸受ホルダ５８は，前記カッタＣを回転駆動する駆動軸５０をベアリング５９を介して支持する。
【００１７】
而して，エンジン本体１を間に置いて，一側にオイルタンク４０及びスタータ４２，他側に冷却ファン４３及び遠心クラッチ４９がそれぞれ配置されるので，エンジンＥの左右の重量バランスが良好で，エンジンＥの重心をエンジン本体１の中心部に近づけることができ，エンジンＥの取り回し性が良好となる。
【００１８】
またエンジン本体１と遠心シュー４７との間において，遠心シュー４７より大径の冷却ファン４３がクランク軸１３に固着されるので，冷却ファン４３によるエンジンＥの大型化を極力回避することができる。
【００１９】
次に，エンジン本体１及びオイルタンク４０の構造について図２〜図５，図６，図１０，図１１を参照しながら説明する。
【００２０】
図２〜図５において，エンジン本体１は，クランク室６ａを有するクランクケース６，一つのシリンダボア７ａを有するシリンダブロック７，並びに燃焼室８ａ及び該室８に開口する吸，排気ポート９，１０を有するシリンダヘッド８からなっており，シリンダブロック７及びシリンダヘッド８の外周には多数の冷却フィン３８が形成される。
【００２１】
クランク室６ａに収容されるクランク軸１３は，クランクケース６の左右両側壁にボールベアリング１４，１４′を介して回転自在に支承される。その際，左側のボールベアリング１４はシール付きとされ，右側のボールベアリング１４′の外側にはオイルシール１７が隣接して配設される。クランク軸１３には，従来普通のように，シリンダボア７ａに嵌装されたピストン１５がコンロッド１６を介して連接される。
【００２２】
クランクケース６の左側壁には，その外側に隣接するオイルタンク４０が一体に連設され，このオイルタンク４０をクランク軸１３のシール付きボールベアリング１４側の端部が貫通するように配置される。そして，クランク軸１３に貫通される，オイルタンク４０の外側壁にはオイルシール３９が装着される。
【００２３】
オイルタンク４０の天井壁には，それを貫通するように上下に延びると共に上下両端を開放した偏平断面のベルト案内筒８６が一体に連設される。このベルト案内筒８６の下端は，オイルタンク４０内のクランク軸１３近傍まで延びており，また上端部は，シリンダヘッド８と隔壁８５を共有するように，シリンダヘッド８に一体に連設される。シリンダヘッド８及びベルト案内筒８６の上端周縁には，一連の環状シールビード８７が形成され，隔壁８５は，このシールビード８７より上方に突出している。
【００２４】
一方，図６，図１０及び図１１に示すように，ヘッドカバー３６の下端面には，上記シールビード８７に対応する環状シール溝８８ａが，また該カバー３６の内面には，環状シール溝８８ａの両側部間を連通する線状シール溝８８ｂがそれぞれ形成され，環状シール溝８８ａには環状パッキン８９ａが装着され，線状シール溝８８ｂには，環状パッキン８９ａと一体成形された線状パッキン８９ｂが装着される。そして，環状パッキン８９ａにはシールビード８７が，線状パッキン８９ｂには隔壁８５がそれぞれ圧接するように，ヘッドカバー３６はシリンダヘッド８にボルト３７により結合される。
【００２５】
而して，ベルト案内筒８６とヘッドカバー３６の一半部とで第１動弁室２１ａが，またシリンダヘッド８とヘッドカバー３６の他半部とで第２動弁室２１ｂがそれぞれ画成され，両動弁室２１ａ，２１ｂは前記隔壁８５によって仕切られる。
【００２６】
再び図２〜図５において，エンジン本体１及びオイルタンク４０は，クランク軸１３の軸線を通り且つシリンダボア７ａの軸線と直交する平面で，上部ブロックＢａと下部ブロックＢｂとに２分割される。即ち，上部ブロックＢａは，クランクケース６の上半部，シリンダブロック７，シリンダヘッド８，オイルタンク４０の上半部及びベルト案内筒８６を一体に連ねて構成され，下部ブロックＢｂは，クランクケース６の下半部と，オイルタンク４０の下半部とを一体に連ねて構成されるもので，これら上部及び下部ブロックＢａ，Ｂｂは個別に鋳造され，各部を加工された後，複数のボルト１２（図４参照）により相互に結合される。
【００２７】
シリンダヘッド８には，吸気ポート９及び排気ポート１０をそれぞれ開閉する吸気弁１８ｉ及び排気弁１８ｅがシリンダボア７ａの軸線と平行に設けられ，また点火栓２０が，その電極を燃焼室８ａの中心部に近接させて螺着される。
【００２８】
次に，上記吸気弁１８ｉ及び排気弁１８ｅを開閉駆動する動弁機構２２について，図３〜図７により説明する。
【００２９】
動弁機構２２は，オイルタンク４０内から前記第１動弁室２１ａにわたり配設される巻掛式調時伝動装置２２ａと，前記第１動弁室２１ａから第２動弁室２１ｂにわたり配設されるカム装置２２ｂとで構成される。
【００３０】
巻掛式調時伝動装置２２ａは，オイルタンク４０内のクランク軸１３に固設した駆動プーリ２３と，ベルト案内筒８６の上部に回転自在に軸支される被動プーリ２４と，これら駆動及び被動プーリ２３，２４間に巻き掛けたタイミングベルト２５とからなっており，被動プーリ２４の，隔壁８５側の端面には，カム装置２２ｂの一部をなすカム２６が一体に結合されている。駆動及び被動プーリ２３，２４は歯付きであり，駆動プーリ２３はベルト２５を介して被動プーリ２４を２分の１の減速比をもって駆動するようになっている。
【００３１】
ベルト案内筒８６の外側壁には，環状のシールビード８７の内側で起立してヘッドカバー３６の内面に当接もしくは近接する支持壁２７が一体に形成されており，この支持壁２７及び前記隔壁８５に，シールビード８７より上方で同軸に並び貫通孔２８ａ及び底付き孔２８ｂがそれぞれ設けられる。そして，これら貫通孔２８ａ及び底付き孔２８ｂによって支軸２９の両端部が回転自在に支持され，この支軸２９の中間部で前記被動プーリ２４及びカム２６が回転自在に支承される。支軸２９は，ヘッドカバー３６の取り付け前に，貫通孔２８ａから，被動プーリ２４及びカム２６の軸孔３５，底付き孔２８ｂへと挿入されるもので，その挿入後，ヘッドカバー３６をシリンダヘッド８及びベルト案内筒８６に接合すると，ヘッドカバー３６の内面が支軸２９の外端に対向して，該軸２９の貫通孔２８ａからの抜け止めを果たし，また底付き孔２８ｂの底部が該軸２９の内方への移動限を規制する。こうして支軸２９の内外への軸方向移動が拘束される。
【００３２】
したがって，したがって支軸２９のための専用のストッパ部材を設ける必要がなく，また支軸２９の潤滑はヘッドカバー３６内で行われ，このヘッドカバー３６及びシリンダヘッド８の油密な接合部によってそのオイル漏れは阻止されることになるから，支軸２９に特別なシール部材を取り付ける必要もなく，部品点数を削減し，コストの低減を図ることができる。さらに，シールビード８７の内側で起立する支持壁２７は，シールビード８７よりも上方位置の貫通孔２８ａを持ち，この支持壁２７の外側面に，ヘッドカバー３６の内面が当接もしくは近接するようにヘッドカバー３６が形成されるので，ヘッドカバー３６取り付け前での支軸２９の着脱を可能にしながら，ヘッドカバー３６のコンパクト化を図ることができる。
【００３３】
隔壁８５には，第２動弁室２１ｂ側に支軸２９と平行に突出する一対の軸受ボス３０ｉ，３０ｅが一体に形成されており，カム装置２２ｂは，前記カム２６と，上記軸受ボス３０ｉ，３０ｅにそれぞれ回転自在に支持される吸気ロッカ軸３１ｉ及び排気ロッカ軸３１ｅと，第１動弁室２１ａでこれらロッカ軸３１ｉ，３１ｅの一端にそれぞれ固着されてカム２６の下面に先端を摺接させる吸気カムフォロワ２２ｉ及び排気カムフォロワ２２ｅと，第２動弁室２１ｂで吸気及び排気ロッカ軸３１ｉ，３１ｅの他端にそれぞれ固着されて先端部を吸気弁１８ｉ及び排気弁１８ｅの上端に当接させる吸気ロッカアーム３３ｉ及び排気ロッカアーム３３ｅと，吸気弁１８ｉ及び排気弁１８ｅにそれぞれ装着されて，それらを閉弁方向に付勢する吸気ばね３４ｉ及び排気ばね３４ｅとからなっている。
【００３４】
而して，クランク軸１３の回転時，それと共に回転する駆動プーリ２３がベルト２５を介して被動プーリ２４及びカム２６を回転すると，そのカム２６が吸気及び排気カムフォロワ３２ｉ，３２ｅを適時揺動させ，それらの揺動は，各対応するロッカ軸３１ｉ，３１ｅを介して吸気及び排気ロッカアーム３３ｉ，３３ｅに伝達して，それらを揺動させるので，吸気及び排気ばね３４ｉ，３４ｅとの協働により，吸気及び排気弁１８ｉ，１８ｅを適時開閉することができる。
【００３５】
調時伝動装置２２ａにおいて，被動プーリ２４及びカム２６は支軸２９に回転自在に支承され，またその支軸２９も第１動弁室２１ａの両側壁に回転自在に支承されるので，被動プーリ２４及びカム２６の回転中は，摩擦により引きずられて支軸２９も回転することなり，被動プーリ２４及びカム２６と支軸２９との回転速度差が減少し，回転摺動部の摩耗の低減を図ることができる。したがって，したがって，特別な素材や表面処理を用いずとも，カム２６及び支軸２９の耐久性の向上に寄与し得る。
【００３６】
次に，図３〜図１２によりエンジンＥの潤滑系について説明する。
【００３７】
図４及び図５において，オイルタンク４０には，給油口４０ａから注入された規定量の潤滑用オイルＯが貯留される。このオイルタンク４０内において，クランク軸１３には，前記駆動プーリ２３を挟んで軸方向に並ぶ一対のオイルスリンガ５６ａ，５６ｂが圧入等により固着される。これらオイルスリンガ５６ａ，５６ｂは，互いに正反対の半径方向を向くと共に，互いに先端を軸方向に離反させるように屈曲しており，クランク軸１３により回転駆動されると，エンジンＥの如何なる運転姿勢でも，両オイルスリンガ５６ａ，５６ｂの少なくとも一方がオイルタンク４０内に貯留オイルＯを攪拌，飛散させ，オイルミストを生成するようになっている。このとき，発生したオイル飛沫は，第１動弁室２１ａからオイルタンク４０内に露出した調時伝動装置２２ａの一部に振り掛かったり，第１動弁室２１ａに進入したりして，調時伝動装置２２ａを直接潤滑するようになっており，これが一つの潤滑系統である。
【００３８】
もう一つの潤滑系統は，図３〜図５及び図１２に示すように，オイルタンク４０の内部とクランク室６ａとの間を連通すべくクランク軸１３に設けられた通孔５５と，クランク室６ａの下部を第２動弁室２１ｂの下部に接続すべくエンジン本体１外側に配設されるオイル送り導管６０と，第２動弁室２１ｂに液化して溜まったオイルを吸い上げるべくシリンダヘッド８に設けられるオイル回収室７４と，このオイル回収室７４を第１動弁室２１ａを介してオイルタンク４０に連通すべくシリンダヘッド８及びオイルタンク４０間に形成されるオイル戻し通路７８と，クランク室６ａの下部に設置されてクランク室６ａからオイル送り導管６０への一方向のみオイルミストの流れを許容する一方向弁６１とを備える。
【００３９】
前記通孔５５のオイルタンク４０内への開口端５５ａは，をエンジンＥの如何なる姿勢でも，常に，オイルタンク４０内のオイルＯの液面上に露出しているように，該タンク４０内の中心部もしくはその近傍に配置される。クランク軸１３の固着される駆動プーリ２３と一方のオイルスリンガ５６ａは，上記開口端５５ａを塞がないように，開口端５５ａを間に置いて配置される。
【００４０】
前記一方向弁６１（図３参照）は，図示例ではリード弁から構成され，ピストン１５の往復運動に伴いクランク室６ａが負圧になったとき閉弁し，正圧になったとき開弁するようになっている。
【００４１】
オイル送り導管６０の下端部は，クランクケース６の外側面に突設された下部接続管６２ａ（図３参照）に，また上端部は，シリンダヘッド８の外側面に突設された上部接続管６２ｂ（図４及び図８参照）にそれぞれ嵌め込まれて接続される。上部接続管６２ｂの内部は，一方でシリンダヘッド８の形成された通路面積の大きい連通路６３（図８及び図９参照）を介して第２動弁室２１ｂの下部に連通し，他方で，オリフィス状のバイパス６４（図８参照）を介してオイル戻し通路７８に連通する。
【００４２】
図５，図１０及び図１１に示すように，ヘッドカバー３６の天井壁には，該カバー３６内の上部にブリーザ室６９を画成する仕切り板６５が，該天井壁に突設された複数の支柱６６と，それに係止されるクリップ６７とで取り付けられ，そのブリーザ室６９は，一方で仕切り板６５に一体に形成された第２動弁室２１ｂ側に突出する流路面積が大きい連通管６８と，仕切り板６５のヘッドカバー３６内面との間隙ｇとを介して第２動弁室２１ｂと連通され，他方でブリーザパイプ７０を介して前記エアクリーナ４内に連通される。このブリーザ室６９は，混合状態のオイル及びブローバイガスの気液分離を行うところであり，その気液分離を促進するための迷路壁７２がヘッドカバー３６の天井壁内面に突設される。
【００４３】
仕切り板６５には，その上面との間に前記オイル回収室７４を画成する平面視でＴ字形の，一面を開放した箱状仕切り体７９が溶着されており，したがって，オイル回収室７４もＴ字形となる。
【００４４】
仕切り板６５には，オイル回収室７４のＴ字形の横棒の両端部に当たる２箇所にそれぞれ連通する２本の吸い上げ管７５が一体に突設される。これら吸い上げ管７５は，各先端を第２動弁室２１ｂの底面近傍まで延ばしており，それらの各先端開口部がオリフィス７５ａとなっている。
【００４５】
また仕切り体７９の上壁には，オイル回収室７４のＴ字形の横棒及び縦棒の各先端部に当たる３箇所にそれぞれ連通する３本の吸い上げ管７６が一体に突設される。これら吸い上げ管７６は，各先端をブリーザ室６９の天井面近傍まで延ばしており，それらの先端開口部がオリフィス７６ａとなっている。
【００４６】
さらに仕切り体７９の上壁には，その上面の窪み部６５ａをオイル回収室７４に連通するオリフィス８０が穿設される。
【００４７】
また仕切り板６５には，オイル回収室７４のＴ字形の縦棒の先端部に当たる部分に連通する１本の導管８１が一体に突設され，この導管８１の先端部は，第２動弁室２１ｂの底面に開口する前記オイル戻し通路７８の入口７８ａにグロメット８２を介して嵌合される。こうしてオイル回収室７４はオイル戻し通路７８と接続される。上記導管８１は，第２動弁室２１ｂの一内側面に近接して配置され，上記内側面に近接した部分に，第２動弁室２１ｂを該導管８１内に連通するオイル吸い上げ用のオリフィス８１ａが穿設される。
【００４８】
而して，ブリーザ室６９は，ブリーザパイプ７０を介してエアクリーナ４内に連通しているので，エンジンＥの運転中でもブリーザ室６９の圧力は，略大気圧に保たれ，このブリーザ室６９に流路抵抗の小さい連通管６８を介して連通する第２動弁室２１ｂはブリーザ室６９と略同圧である。
【００４９】
クランク室６ａは，エンジンＥの運転中，ピストン１５の昇降により生ずる圧力脈動の正圧成分のみを一方向弁６１からオイル送り導管６０に吐出することから，クランク室６ａは平均的に負圧状態となり，上記正圧を受ける第２動弁室２１ｂは，流路抵抗の小さい連通管６８を介してブリーザ室６９と連通しているから，ブリーザ室６９と略同圧となる。クランク室６ａの負圧は，クランク軸１３の通孔５５を経てオイルタンク４０に伝達し，更にオイル戻し通路７８を介してオイル回収室７４に伝達するので，オイル回収室７４は，第２動弁室２１ｂやブリーザ室６９よりも低圧，オイルタンク４０及び第１動弁室２１ａはオイル回収室７４よりも低圧となる。
【００５０】
したがって，図１２に示すように，クランク室６ａの圧力をＰｃ，オイルタンク４０の圧力をＰｏ，第１動弁室２１ａの圧力をＰｖａ，第２動弁室２１ｂの圧力をＰｖｂ，オイル回収室７４の圧力をＰｓ，ブリーザ室６９のＰｂとすると，その大小関係は次式で表すことができる。
【００５１】
Ｐｖｂ＝Ｐｂ＞Ｐｓ＞Ｐｏ＝Ｐｖａ＞Ｐｃ
その結果，第２動弁室２１ｂ及びブリーザ室６９の圧力は吸い上げ管７５，７６やオリフィス８０を通してオイル回収室７４へ，更にオイル戻し通路７８を通してオイルタンク４０へ，そしてクランク室６ａへと移動する。
【００５２】
エンジンＥの運転中，オイルタンク４０内において，クランク軸１３に回転されるオイルスリンガ５６ａ，５６ｂが潤滑油Ｏを攪拌，飛散させることによりオイルミストが生成される。そのとき発生したオイルの飛沫は，ベルト案内筒８６からオイルタンク４０内に露出した調時伝動装置２２ａの一部，即ち駆動プーリ２３及びタイミングベルト２５の一部に振り掛かり，あるいは第１動弁室２１ａに進入して，調時伝動装置２２ａを直接潤滑することは既に述べた通りである。オイルの飛沫が調時伝動装置２２ａの一部にでも振り掛かると，そのオイルは，調時伝動装置２２ａの作動に伴い，該装置２２ａ全体のみならず，カム２６のも運ばれ，それらを効果的に潤滑することができる。
【００５３】
オイルタンク４０で生成されたオイルミストは，前述の圧力の流れに従って，クランク軸１３の通孔５５を通してクランク室６ａに吸入され，クランク軸１３ピストン１５周りを潤滑する。次いでピストン１５の下降によりクランク室６ａが正圧になると，一方向弁６１の開弁により上記オイルミストはクランク室６ａで発生したブローバイガスと共にオイル送り導管６０及び連通路６３を昇って第２動弁室２１ｂに供給され，該室２１ｂ内のカム装置２２ｂの各部，即ち吸気及び排気ロッカアーム３３ｉ，３３ｅ等を潤滑する。
【００５４】
この場合，上記連通路６３を通るオイルミストの一部は，オリフィス状のバイパス６４からオイル戻し通路７８へ短絡する。したがって，バイパス６４の流路抵抗を適当に設定することにより，オイルミストの第２動弁室２１ｂへの供給量を調節することができる。  第２動弁室２１ｂ内のオイルミスト及びブローバイガスは，連通管６８及び仕切り板６５周りの間隙ｇを通ってブリーザ室６９に移ると，その際の膨張作用及び迷路壁７２との衝突作用により気液分離され，ブローバイガスは，エンジンＥの吸気行程時，ブリーザパイプ７０及びエアクリーナ４を順次経由してエンジンＥに吸入される。
【００５５】
ブリーザ室６９で液化したオイルは，エンジンＥの正立状態では，仕切り体７９上面の窪み部６５ａに溜まるか，連通管６８や間隙ｇを流下して第２動弁室２１ｂの底面に溜まるので，それらの場所に待機するオリフィス８０や吸い上げ管７５によってオイル回収室７４へと吸い上げられる。またエンジンＥの倒立状態では，上記液化オイルはヘッドカバー３６の天井面に溜まることになるので，その場所に待機する吸い上げ管７６によってオイル回収室７４へと吸い上げられる。
【００５６】
こうしてオイル回収室７４に吸い上げられたオイルは，導管８１からオイル戻し通路７８を通ってオイルタンク４０に還流する。この場合，図示例のように，オイル戻し通路７８を第２動弁室２１ｂを介してオイルタンク４０に連通させると，オイル戻し通路７８を出たオイルが調時伝動装置２２ａに振り掛かり，その潤滑にも寄与することになり，好都合である。
【００５７】
ところで，前記ブリーザ６９は，ヘッドカバー３６の天井面と，ヘッドカバー３６の内壁に取り付ける仕切り板６５との間に画成され，また前記オイル回収室７４は，上記仕切り板６５の上面と，それに溶着される仕切り体７９との間に画成されるので，ヘッドカバー３６の天井壁を分割することなく，ヘッドカバー３６にオイル回収室７４及びブリーザ６９を設けることができる。しかも，これらブリーザ６９及びオイル回収室７４は，共にヘッドカバー３６内に存在することから，両室６９，７４から多少のオイル漏れがあったとしても，そのオイルは第２動弁室２１ｂに戻るだけで何等の支障も生ぜず，両室６９，７４周りの油密検査は不要となり，製作コストの低減を図ることができる。
【００５８】
しかも仕切り体７９は，仕切り板６５のヘッドカバー３６への取り付け前に，仕切り板６５への溶着が可能であり，したがって仕切り板６５へのオイル回収室７４の形成を簡単に行うことができる。
【００５９】
さらにオイル吸い上げ管７５，７６を，仕切り板６５及び仕切り体７９にそれぞれ一体成形するので，オイル吸い上げ管７５，７６の形成を簡単に行うことができる。
【００６０】
一方，オイルタンク４０では，エンジンＥが図１３に示すように，倒立状態にされた場合，貯留オイルＯが該タンク４０の天井側，即ち第１動弁室２１ａ側に移動するが，第１動弁室２１ａのオイルタンク４０内への開口端は，ベルト案内筒８６によって，貯留オイルＯの液面より高い位置を占めるように設定されており，したがって，第２動弁室２１ｂへの貯留オイルＯの流入を許さず，調時伝動装置２２ａの過剰給油を防ぐことができると共に，オイルタンク４０内に所定量のオイル量を確保して，オイルスリンガ５６ａ，５６ｂによるオイルミストの生成の継続が可能となる。
【００６１】
エンジンＥが運転中に，図１４に示すように，横倒し状態にされた場合には，貯留オイルＯは該タンク４０の側面側に移動するが，第１動弁室２１ａのオイルタンク４０内への開口端は，ベルト案内筒８６によって，貯留オイルＯの液面より高い位置を占めるように設定されており，したがって，この場合も第２動弁室２１ｂへの貯留オイルＯの流入を許さず，調時伝動装置２２ａの過剰給油を防ぐことができると共に，オイルタンク４０内に所定量のオイル量を確保して，オイルスリンガ５６ａ，５６ｂによるオイルミストの生成の継続が可能となる。
【００６２】
またオイルタンク４０の内壁には，エンジンＥの上記横倒し時，調時伝動装置２２ａのタイミングベルト２５の上側部分２５ａが駆動側から被動側へ移動する場合に，タイミングベルト２５の駆動側上面に対向する油滴誘導壁９０（図５及び図１４参照）が一体に突設される。
【００６３】
而して，エンジンが横倒し状態にされ，タイミングベルト２５の上側部分２５ａが駆動側から被動側へ略水平に移動する場合には，オイルタンク４０内の貯留オイルＯがタイミングベルト２５の下方に来ていても，オイルスリンガ５６ａ，５６ｂの回転により生成されたオイル飛沫の一部が油滴誘導壁９０に付着し，そのオイルが油滴Ｏ′となって前記タイミングベルト２５の駆動側上部に落下するので，その油滴Ｏ′は，遠心力の影響を殆ど受けることなく，タイミングベルト２５の上側部分２５ａに乗って被動プーリ２４側まで運ばれる間に上側部分２５ａの裏側に回り，被動プーリ２４をも確実に潤滑することができる。
【００６４】
この場合，若し油滴誘導壁９０が存在しないとしたならば，オイルスリンガ５６ａ，５６ｂによって生成されるオイル飛沫の多くは，タイミングベルト２５の下側部分に付着するが，その油滴は，タイミングベルト２５の下側部分が駆動プーリ２３の回転により上側まで駆動される間に，遠心力の作用により，タイミングベルト２５から引き離されてしまい，タイミングベルト２５の被動側までは達し難いことになる。
【００６５】
かくして，動弁機構２２の潤滑系統は，オイルタンク４０内の飛散オイルでオイルタンク４０及び第１動弁室２１ａ内の調時伝動装置２２ａとカム装置２２ｂの一部を潤滑する系統と，第２動弁室２１ｂに移送されたオイルミストにより第２動弁室２１ｂ内のカム装置２２ｂの残りの部分を潤滑する系統との２系統に分けられるので，各潤滑系統の負担が軽減することになって，動弁機構２２全体を万遍なく潤滑することができる。しかもオイルの飛沫やオイルミストの使用により，エンジンの如何なる運転姿勢においても，エンジンの各部を確実に潤滑することができる。
【００６６】
またオイルタンク４０内でミスト化されたオイルを，クランク室６ａの圧力脈動と，一方向弁６１の一方向移送機能を利用して循環させるようにしたので，オイルミストの循環のための専用のオイルポンプは不要であり，構造の簡素化を図ることができる。
【００６７】
またオイルタンク４０のみならず，クランク室６ａ及び第２動弁室２１ｂ間を結ぶオイル送り導管６０は，エンジン本体１外側に配設されるので，エンジン本体１の薄肉化及びコンパクト化を何ら妨げず，エンジンＥの軽量化に大いに寄与することができる。特に，外部配置のオイル送り導管６０は，エンジン本体１から熱影響を受け難く，しかも放熱し易いので，これを通るオイルミストの冷却を促進することができる。
【００６８】
またオイルタンク４０はエンジン本体１の一外側に配設されるので，エンジンＥの全高の大幅低下をもたらすことができ，しかも調時伝動装置２２ａの一部がオイルタンク４０に収められるので，エンジンＥの横幅の増加を極力抑えることができて，コンパクト化を図ることができる。
【００６９】
本発明は，上記実施例に限定されるものではなく，その要旨の範囲を逸脱することなく種々の設計変更が可能である。例えば，上記実施例では，調時伝動装置２２ａにベルト式を採用したが，チェーン式を採用することもできる。
【００７０】
【発明の効果】
以上のように本発明によれば，クランク軸の回転に連動して吸気弁及び排気弁を開閉駆動する動弁機構の巻掛式調時伝動装置の駆動側をオイルタンク内に臨ませ，そのオイルタンクには，その内部の貯留オイルを飛散させて，前記調時伝動装置の潤滑のためのオイル飛沫を生成するオイル飛沫生成手段を配設した，ハンドヘルド型エンジンにおける調時伝動装置の潤滑装置において，前記オイル飛沫生成手段を，クランク軸に，前記調時伝動装置の駆動プーリを挟んで軸方向に並ぶようにクランク軸に固着される一対のオイルスリンガで構成して，エンジンの如何なる運転姿勢でも，この両オイルスリンガの少なくとも一方がオイルタンク内に貯留オイルを攪拌，飛散させ，オイルミストを生成するようにし，またオイルタンクの天井壁には，それを貫通するように上下に延びて下方開口端をオイルタンク内のクランク軸に近接させるベルト案内筒を一体に連設して，エンジンの如何なる運転姿勢でも，このベルト案内筒の下方開口端がオイルタンク内に貯留オイルの液面より高い位置を占めるようにすると共に，このベルト案内筒内に前記調時伝動装置の巻掛部材を配設したので，エンジンが倒立状態や横倒し状態で運転する場合でも，オイルタンク内ではオイルミストを生成できて，その発生オイル飛沫によりベルト案内筒からオイルタンク内に露出した部分から調時伝動装置を潤滑することができる。しかもエンジンの如何なる運転姿勢でも，ベルト案内筒の下方開口端はオイルタンク内に貯留オイルの液面より高い位置を占めるので，エンジンが倒立状態や横倒し状態で運転する場合でも，ベルト案内筒のオイルタンクへの開口端は常に貯留オイルの液面より高い位置を占めることになり，したがって，ベルト案内筒への貯留オイルの流入を許さず，調時伝動装置の過剰給油を防ぐことができる。
【００７１】
またエンジンの横倒し時，付着したオイル飛沫を前記調時伝動装置のオイルタンクに臨む部分に誘導，滴下する油滴誘導壁をオイルタンクの内壁に突設したので，エンジンを横倒し状態で運転する場合には，油滴誘導壁に付着したオイル飛沫が油滴となって，調時伝動装置の駆動側で巻掛部材上に落下することになり，したがって，特に，巻掛部材の上側部分が駆動側から被動側に移動するとき，上記油滴を，遠心力の影響を殆ど受けることなく，巻掛部材によって被動側へ運び，被動側を確実に潤滑することができる。
【図面の簡単な説明】
【図１】  本発明の四サイクルエンジンの一使用例を示す斜視図。
【図２】  上記四サイクルエンジンの縦断側面図。
【図３】  図２の３−３線断面図。
【図４】  図２の４−４線断面図。
【図５】  図２の要部拡大断面図
【図６】  図５の要部分解図。
【図７】  図４の７−７線断面図。
【図８】  図４の８−８線断面図。
【図９】  図８の９−９線断面図。
【図１０】  図５の１０−１０矢視図（ヘッドカバーの底面図）。
【図１１】  図５の１１−１１線断面図。
【図１２】  上記エンジンの潤滑経路図。
【図１３】  上記エンジンの倒立状態を示す，図４との対応図。
【図１４】  同エンジンの横倒し状態を示す，図４との対応図。
【符号の説明】
Ｅ・・・・・・エンジン
Ｏ・・・・・・貯留オイル
１３・・・・・クランク軸
１８ｉ・・・・吸気弁
１８ｅ・・・・排気弁
２２・・・・・動弁機構
２２ａ・・・・調時伝動装置
２５・・・・・巻掛部材（タイミングベルト）
４０・・・・・オイルタンク
５６ａ，５６ｂ・・・一対のオイルスリンガ
８６・・・・・ベルト案内筒
９０・・・・・油滴誘導壁
【図１】
0004394819.tif 000002
【図２】
0004394819.tif 000003
【図３】
0004394819.tif 000004
【図４】
0004394819.tif 000005
【図５】
0004394819.tif 000006
【図６】
0004394819.tif 000007
【図７】
0004394819.tif 000008
【図８】
0004394819.tif 000009
【図９】
0004394819.tif 000010
【図１０】
0004394819.tif 000011
【図１１】
0004394819.tif 000012
【図１２】
0004394819.tif 000013
【図１３】
0004394819.tif 000014
【図１４】
0004394819.tif 000015